【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
固体レベル表示器アセンブリであって、該固体レベル表示器アセンブリは、
ハウジング外部末端と、その反対に配置されたハウジング内部末端とを有するシャフトハウング；                                                                      
シャフト内部末端とシャフト外部末端とを有するねじれシャフト；
槽内の固体の通路に交差するように、ねじれシャフトの長さに対して垂直に、パドルキャップに係合しているパドル；
静止末端に隣接して配置された回転末端を有するモジュラー外部センサー；
前記固体レベル表示器アセンブリに係合されたサポート構造；及び
サポート構造をねじれロッドに係合するように構成された剪断ロックを含み、
前記シャフトハウジング外部末端は槽の外部に配置され、前記シャフトハウジングは、ねじれ運動に抵抗するように槽に固定して係合しており、
前記ねじれシャフトは、シャフト内部末端がハウジング内部末端を越えて延び、槽内に配置されたパドルキャップに係合するようにシャフトハウジング内に配置されており、
前記パドルはシャフト内部末端とねじれ的に連通しており、
前記回転末端はシャフト外部末端に隣接して配置され、前記シャフト外部末端は隣接して配置された回転末端とねじれ的に連通しており、
前記モジュラー外部センサーはシャフト外部末端から脱係合されるように構成されており、
前記シャフト外部末端に隣接して配置されている前記モジュラー外部センサーはねじれロッドを規定しており、
前記サポート構造は最大剪断力に耐えるように構成されており、
前記サポート構造及び剪断ロックは、剪断力が最大剪断力を超えないとき、ねじれロッドが回転することを防止するように構成されていることを特徴とする固体レベル表示器アセンブリ。
【請求項２】
サポート構造が、装着アーム、装着コーン、サポートスリーブ、シャフトハウジング又はそれらの組み合わせからなる群から選ばれるサポート構造である、請求項１に記載のアセンブリ。
【請求項３】
パドルキャップ上に延びている保護スリーブを有する表示器アダプターをさらに含み、
該表示器アダプターは、ねじれ運動に抵抗するように固体レベル表示器を槽に固定して係合するように構成されている、請求項１に記載のアセンブリ。
【請求項４】
モジュラー外部センサーの静止末端に隣接して配置されたプラグキャップをさらに含み、該プラグキャップはモジュラー外部センサーの静止末端にねじれ的に連通しており、前記プラグキャップはボア孔を規定しているエリアを有し、前記剪断ロックは、サポート構造における剪断ピン孔を通ってプラグキャップのボア孔に延びている剪断ピンであり、剪断力が最大剪断力を超えない限りプラグキャップが回転することを防止している、請求項１に記載のアセンブリ。
【請求項５】
プラグキャップが間隔をあけて配置された複数のボア孔を有する、請求項４に記載のアセンブリ。
【請求項６】
第１スプリング末端及び第２スプリング末端を有するねじれスプリングをさらに含み、
前記第１スプリング末端はカバープレートに係合し、ねじれシャフトとねじれ的に連通状態にあり、第２スプリング末端は、ねじれシャフトを通じて伝達されるねじれ力を蓄積するように、サポートスリーブに係合している、請求項１に記載のアセンブリ。
【請求項７】
剪断ロックがシャフトハウジングに延びている剪断ピンであり、前記第２スプリング末端は蓄積された過剰なねじれ力をサポート構造を通じて剪断ピンに伝えるように構成されている、請求項６に記載のアセンブリ。
【請求項８】
モジュラー外部センサーは、歪みゲージ、圧電センサー、角度ゲージ、トルク変換器又はこれらの組み合わせからなる群から選ばれる、請求項１に記載のアセンブリ。
【請求項９】
ねじれシャフトとねじれ的に連通状態にある複数のモジュラー外部センサーをさらに含み、それぞれのモジュラー外部センサーは固体レベル表示器アセンブリからスライド可能に除去されるように構成されている、請求項１に記載のアセンブリ。
【請求項１０】
槽が気相化学蒸解缶、水相化学蒸解缶、及び含浸槽からなる群から選ばれる、請求項１に記載のアセンブリ。
【請求項１１】
剪断ロックが、剪断ピン、マグネット、希土類磁石、ねじれスプリング、又はねじれ力が所定の剪断力の閾値を超えると、ねじれロッドが回転することを可能にするように構成された他の構造からなる群から選ばれる、請求項１に記載のアセンブリ。
【請求項１２】
固体レベル表示器であって、該固体レベル表示器は、
ハウジング内部末端及びハウジング外部末端を有するシャフトハウジング；
シャフト内部末端及びシャフト外部末端を有するねじれシャフト；
槽内の固体の通路に交差するように、ねじれシャフトの長さに対して垂直にパドルキャップに係合しているパドル；
静止末端に隣接して配置された回転末端を有するモジュラー外部センサー；
固体レベル表示器に係合されたサポート構造；及び
サポート構造の周りに配置されたねじれスプリングを含み、
前記シャフトハウジング外部末端は槽の外部に配置され、前記シャフトハウジングは、ねじれ運動に抵抗するように槽に固定して係合しており、
前記ねじれシャフトは、シャフト内部末端がハウジング内部末端を越えて延び、槽内に配置されたパドルキャップに係合するようにシャフトハウジング内に配置されており、
前記パドルはシャフト内部末端とねじれ的に連通しており、
前記回転末端はシャフト外部末端に隣接して配置され、シャフト外部末端は隣接して配置された回転末端とねじれ的に連通しており、前記モジュラー外部センサーはシャフト外部末端からスライド可能に脱係合されるように構成されており、
前記ねじれスプリングは、第２スプリング末端から距離を置いて配置された第１スプリング末端を有し、前記第１スプリング末端はモジュラー外部センサーとねじれ的に連通状態にあり、前記第２スプリング末端は、固体が下方向の力をパドル上に及ぼすとき、ねじれスプリングが屈曲し、ねじれエネルギーを蓄積するようにサポート構造に固定して係合しており、前記ねじれスプリングは、固体によって及ぼされた力が減退するとき、固体の質量によってパドル上に及ぼされるねじれ力の方向の反対方向に、蓄積されたエネルギーをねじれシャフトに解放することを特徴とする固体レベル表示器。
【請求項１３】
サポート構造を通ってシャフトハウジングへ延びている剪断ピンをさらに含む、請求項１２に記載の固体レベル表示器。
【請求項１４】
サポート構造が、装着アーム、装着コーン、シャフトハウジング、及びサポートスリーブ、又はこれらの組み合わせからなる群から選ばれる、請求項１２に記載の固体レベル表示器。
【請求項１５】
モジュラー外部センサーが、歪みゲージ、圧電センサー、角度ゲージ、トルク変換器、又はこれらの組み合わせからなる群から選ばれる、請求項１２に記載の固体レベル表示器。
【請求項１６】
ねじれシャフトとねじれ的に連通状態にある複数のモジュラー外部センサーをさらに含み、それぞれのモジュラー外部センサーは固体レベル表示器アセンブリからスライド可能
に除去されるように構成されている、請求項１２に記載の固体レベル表示器。
【請求項１７】
固体レベル表示器であって、該固体レベル表示器は、
ハウジング内部末端及びハウジング外部末端を有するシャフトハウジング；
シャフト内部末端及びシャフト外部末端を有するねじれシャフト；
槽内の固体の通路に交差するように、ねじれシャフトの長さに対して垂直にパドルキャップに係合しているパドル；
静止末端に隣接して配置された回転末端を有するモジュラー外部センサー；  
固体レベル表示器アセンブリに係合されたサポート構造；
剪断ピン；及び
複数のボア付きプラグキャップ（a multi-bore plug cap）
を含み、
前記シャフトハウジング外部末端は槽の外部に配置され、前記シャフトハウジングは、ねじれ運動に抵抗するように、槽に固定して係合しており、
前記ねじれシャフトは、シャフト内部末端がハウジング内部末端を越えて延び、槽内に配置されたパドルキャップに係合するようにシャフトハウジング内に配置されており、
前記パドルはシャフト内部末端とねじれ的に連通しており、
前記回転末端はシャフト外部末端に隣接して配置され、シャフト外部末端は隣接して配置された回転末端とねじれ的に連通しており、モジュラー外部センサーはシャフト外部末端からスライド可能に脱係合されるように構成されており、
前記サポート構造は剪断ピン孔を規定しているエリアを有し、
前記プラグキャップは、モジュラー外部センサーの静止末端とねじれ的に連通しており、前記プラグキャップは、間隔をあけてプラグキャップへ半径方向に延びているボア孔を規定しているエリアを有し、それによって複数のボア孔のうちの１つのボア孔がサポート構造における剪断ピン孔と位置が合うようになっており、前記剪断ピンは剪断ピン孔を通ってボア孔へ延び、プラグキャップを配向させており、前記プラグキャップの配向はねじれシャフトを二分している水平ラインに対するパドルのそらし角度を規定しており、前記剪断ピンは最大剪断力に耐えるように構成されており、前記剪断ピン及びサポート構造は、剪断力が最大剪断力を超えないとき、モジュラー外部センサーの静止末端が回転することを防止するように構成されていることを特徴とする固体レベル表示器。
【請求項１８】
ボア孔が規則的な間隔をあけてプラグキャップに半径方向に延びている、請求項１７に記載の固体レベル表示器。
【請求項１９】
ボア孔が不規則的な間隔をあけてプラグキャップに半径方向に延びている、請求項１７に記載の固体レベル表示器。
【請求項２０】
複数のボア付きプラグキャップが４つのボア孔を有する、請求項１７に記載の固体レベル表示器。
【請求項２１】
複数のボア付きプラグキャップが８つのボア孔を有し、前記サポート構造が９０度未満だけ第１剪断ピン孔から角度的にオフセットされている第２剪断ピン孔を有する、請求項１７に記載の固体レベル表示器。
【請求項２２】
サポート構造が装着アーム、装着コーン、シャフトハウジング、及びサポートスリーブ、又はこれらの組み合わせからなる群から選ばれる、請求項１７に記載の固体レベル表示器。
【請求項２３】
モジュラー外部センサーが、歪みゲージ、圧電センサー、角度ゲージ、トルク変換器、又はこれらの組み合わせからなる群から選ばれる、請求項１７に記載の固体レベル表示器。
【請求項２４】
ねじれシャフトとねじれ的に連通状態にある複数のモジュラー外部センサーをさらに含み、それぞれの外部センサーが固体レベル表示器アセンブリからスライド可能に除去されるように構成されている、請求項１７に記載の固体レベル表示器。
【手続補正２】
【補正対象書類名】明細書
【補正対象項目名】００６５
【補正方法】変更
【補正の内容】
【００６５】
図７は例示的な固体レベル表示器アセンブリ７００の断面図であり、この固体レベル表示器アセンブリにおいては、シャフトハウジング７２６に係合されたサポートスリーブ７９０”はサポート構造７８４を含んでいる。留め具７１５は、シャフトハウジング７２６の第１フランジ７５８を表示器アダプター７１３に係合している。ガスケット７５６が、第１フランジ７５８と、表示器アダプター７１３又は表示器アダプターフランジ７１４との間に配置されることがある。シャフト外部末端７３０は、ハウジング外部末端７７６の第２フランジ７５７を通って延びている。第２フランジ７５７は、第１フランジ７５８から反対に配置されている。シャフト外部末端７３０は雄アダプター７３５を含む。モジュラー外部センサー７５０の回転末端７４０のレセプタクル７４５は雄アダプター７３５を強固に包み、それによって隣接して配置されたねじれシャフト７２０とねじれ的に連通状態にある。同様に、キャッププラグのレセプタクル７７５は、モジュラー外部センサー７５０の静止末端７６０から延びている雄アダプター７６５を強固に包む。留め具７１５は、サポートスリーブフランジ７８２をシャフトハウジング７２６の第２フランジ７５７に係合させている。１つ又はそれ以上の剪断ピン７８０が、サポートスリーブ７９０”における剪断ピン孔７９３を規定している領域を通って、ボア孔７８１を規定しているプラグキャップ７９５における領域に延びており、それによって、プラグキャップ７９５及び隣接して配置されたモジュラー外部センサー７５０の静止末端７６０を不動化している。モジュラー外部センサー７５０を交換することを望むならば、サポートスリーブ７９０”をシャフトハウジング７２６に係合させる留め具７１５を除去し、次にサポートスリーブ７９０”を除去してモジュラー外部センサー７５０を露出させる。他の例示的な方法においては、カバープレート７８７を除去し、剪断ピン７８０を除去し、モジュラー外部センサー７５０にアクセスする前にプラグキャップ７９５を除去する。モジュラー外部センサー７５０はサポートスリーブ７９０”から除去される。
【手続補正３】
【補正対象書類名】明細書
【補正対象項目名】００７０
【補正方法】変更
【補正の内容】
【００７０】
図示された実施態様において、第２剪断ピン孔９９３’’は、運転員が第１剪断ピン孔９９３’によって規定された間隔の間の間隔において、パドルのそらし角度を設定することを可能にする。一例として、垂直参照ラインＶ’’に対するパドル７１７の角度は、剪断ピン７８０が第１ボア孔９８１’及び第１剪断ピン孔９９３’を通って延びているとき９０度である。垂直参照ラインＶ’’に対して、パドルのそらし角度は、剪断ピン７８０が第１剪断ピン孔９９３’及び第２ボア孔９８１’’を通って延びているとき８０度であり、第１剪断ピン孔９９３’及び第３ボア孔９８１’’’において７０度であり、第１剪断ピン孔９９３’及び第４ボア孔９８１’’’’において６０度である。同様に一例として、パドルそらし角度は、剪断ピン７８０が第２剪断ピン孔９９３’’及び第１ボア孔９８１’を通って延びているとき垂直参照線Ｖ’’に対して８５度であり、第２剪断ピン孔９９３’’及び第２ボア孔９８１’’において７５度であり、第２剪断ピン孔９９３’’及び第３ボア孔９８１’’’において６５度であり、第２剪断ピン孔９９３’’及び第４ボア孔９８１’’’’において５５度である。第２剪断ピン孔９９３’’は、垂直参照線Ｖ’に対して第１剪断ピン孔９９３’から９０度未満の位置に配置されることが望ましい。
【手続補正４】
【補正対象書類名】明細書
【補正対象項目名】００７２
【補正方法】変更
【補正の内容】
【００７２】
ある例示的な固体レベル表示器アセンブリは、
ハウジング外部末端と、その反対に配置されたハウジング内部末端とを有するシャフトハウング；  
シャフト内部末端とシャフト外部末端とを有する中実ねじれシャフト；
槽内の固体の通路に交差するように、中実ねじれシャフトの長さに対して垂直に、パドルキャップに係合しているパドル；
静止末端に隣接して配置された回転末端を有するモジュラー外部センサー；
前記固体レベル表示器アセンブリに係合されたサポート構造；及び
サポート構造をねじれロッドに係合するように構成された剪断ロックを含み、
前記シャフトハウジング外部末端は槽の外部に配置され、前記シャフトハウジングは、ねじれ運動に抵抗するために槽に固定して係合しており、
前記中実ねじれシャフトは、シャフト内部末端がハウジング内部末端を越えて延び、槽内に配置されたパドルキャップに係合するようにシャフトハウジング内に配置されており、
前記パドルはシャフト内部末端とねじれ的に連通しており、
前記回転末端はシャフト外部末端に隣接して配置され、前記シャフト外部末端は隣接して配置された回転末端とねじれ的に連通しており、
前記モジュラー外部センサーはシャフト外部末端からスライド可能に脱係合されるように構成されており、
前記シャフト外部末端に隣接して配置されている前記モジュラー外部センサーはねじれロッドを規定しており、
前記サポート構造は最大剪断力に耐えるように構成されており、
前記サポート構造及び剪断ロックは、剪断力が最大剪断力を超えないとき、ねじれロッドが回転することを防止するように構成されている。